【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
ターゲットをイメージングするシステムであって、
ひとつ以上のプロセッサと、
メモリと、
ひとつ以上のプログラムと、を備え、
前記ひとつ以上のプログラムが前記メモリに保持され、かつ、前記ひとつ以上のプロセッサによって実行されるよう構成され、前記ひとつ以上のプログラムは、ある期間内に、
励起光源を活性化することで、前記ターゲットを照らすための励起パルスを生成することと、
前記励起光源が活性化されていない前記期間の一部中に、センサから、環境光強度信号を受信することと、
前記励起パルス中に、蛍光露光時間の間、イメージセンサを曝すことと、
前記イメージセンサからの出力を受信することと、
前記環境光強度信号に基づいて環境光を補償することと、結果として得られるイメージを前記メモリに格納することと、を行うためのインストラクションを含むシステム。
【請求項２】
前記ひとつ以上のプログラムは、前記期間内に、：
白色光源を活性化させることで、前記ターゲットを照らすための白色光パルスを生成することであって、前記白色光パルスが前記励起パルスと重ならない、ことと、
少なくともひとつの白色光パルス中に、可視露光時間の間、前記イメージセンサを曝すことと、を行うためのインストラクションを含む請求項１に記載のシステム。
【請求項３】
前記ひとつ以上のプログラムは、前記ターゲットが照らされていないとき、バックグラウンド露光時間の間、前記イメージセンサを露光するためのインストラクションを含む請求項１または２に記載のシステム。
【請求項４】
前記ひとつ以上のプログラムは、前記環境光強度の周期的周波数を検出するためのインストラクションを含む請求項１から３のいずれか一項に記載のシステム。
【請求項５】
環境光を補償することが：
前記バックグラウンド露光時間の間の前記イメージセンサの露光の前、かつ、前記励起パルス中の前記蛍光露光時間の間の前記イメージセンサの露光の前に、イメージ取得フレームレートを、前記周期的周波数の倍数に等しく設定することと、
前記蛍光露光時間の間に受信されたイメージセンサ出力から、前記バックグラウンド露光時間の間に受信されたイメージセンサ出力を減じることによって、前記結果として得られるイメージを形成することと、を含む請求項４に記載のシステム。
【請求項６】
環境光を補償することが：
ひとつ以上の受信された環境光強度信号から、前記検出された周期的周波数を有する環境光強度の完全な周期サイクルを合成または抽出することと、
前記環境光強度周期サイクルを、前記蛍光露光時間に対応する期間に延ばすことと、
バックグラウンド露光時間の間の環境光強度の前記曲線の下の面積に対応する第１累積環境光値を算出することと、
前記蛍光露光時間の間の前記環境光強度の前記曲線の下の面積に対応する第２累積環境光値を算出することと、
前記第１累積環境光値と前記第２累積環境光値との比に基づいて、前記バックグラウンド露光時間の間の前記受信されたイメージセンサ出力と、前記蛍光露光時間の間の前記受信されたイメージセンサ出力と、をスケーリングすることと、
前記蛍光露光時間の間の前記スケーリングされたイメージセンサ出力から、前記バックグラウンド露光時間の間の前記スケーリングされたイメージセンサ出力を減じることによって、前記結果として得られるイメージを形成することと、を含む請求項４に記載のシステム。
【請求項７】
前記ひとつ以上のプログラムは、前記バックグラウンド露光時間の間に前記センサから環境光強度信号を受信するためのインストラクションを含む請求項６に記載のシステム。
【請求項８】
前記ひとつ以上のプログラムは、前記環境光強度周期サイクルを、前記蛍光露光時間に対応する前記期間に延ばすためのインストラクションを含む請求項６に記載のシステム。
【請求項９】
ターゲットをイメージングする方法であって、
ひとつ以上のプロセッサとメモリとを有するシステムにおいて、
励起光源を活性化することで、前記ターゲットを照らすための励起パルスを生成することと、
前記励起光源が活性化されていない前記期間の一部中に、センサから、環境光強度信号を受信することと、
前記励起パルス中に、蛍光露光時間の間、イメージセンサを曝すことと、
前記イメージセンサからの出力を受信することと、
前記環境光強度信号に基づいて環境光を補償することと、結果として得られるイメージを前記メモリに格納することと、を含む方法。
【請求項１０】
前記期間内に、
白色光源を活性化させることで、前記ターゲットを照らすための白色光パルスを生成することであって、前記白色光パルスが前記励起パルスと重ならない、ことと、
少なくともひとつの白色光パルス中に、可視露光時間の間、前記イメージセンサを曝すことと、をさらに含む請求項９に記載の方法。
【請求項１１】
前記ターゲットが照らされていないとき、バックグラウンド露光時間の間、前記イメージセンサを露光することをさらに含む請求項９または１０に記載の方法。
【請求項１２】
前記環境光強度の周期的周波数を検出することをさらに含む請求項９から１１のいずれか一項に記載の方法。
【請求項１３】
環境光を補償することが：
前記バックグラウンド露光時間の間の前記イメージセンサの露光の前、かつ、前記励起パルス中の前記蛍光露光時間の間の前記イメージセンサの露光の前に、イメージ取得フレームレートを、前記周期的周波数の倍数に等しく設定することと、
前記蛍光露光時間の間に受信されたイメージセンサ出力から、前記バックグラウンド露光時間の間に受信されたイメージセンサ出力を減じることによって、前記結果として得られるイメージを形成することと、を含む請求項１２に記載の方法。
【請求項１４】
環境光を補償することが：
ひとつ以上の受信された環境光強度信号から、前記検出された周期的周波数を有する環境光強度の完全な周期サイクルを合成または抽出することと、
前記環境光強度周期サイクルを、前記蛍光露光時間に対応する期間に延ばすことと、
バックグラウンド露光時間の間の環境光強度の前記曲線の下の面積に対応する第１累積環境光値を算出することと、
前記蛍光露光時間の間の前記環境光強度の前記曲線の下の面積に対応する第２累積環境光値を算出することと、
前記第１累積環境光値と前記第２累積環境光値との比に基づいて、前記バックグラウンド露光時間の間の前記受信されたイメージセンサ出力と、前記蛍光露光時間の間の前記受信されたイメージセンサ出力と、をスケーリングすることと、
前記蛍光露光時間の間の前記スケーリングされたイメージセンサ出力から、前記バックグラウンド露光時間の間の前記スケーリングされたイメージセンサ出力を減じることによって、前記結果として得られるイメージを形成することと、を含む請求項１２に記載の方法。
【請求項１５】
前記バックグラウンド露光時間の間に前記センサから環境光強度信号を受信することをさらに含む請求項１４に記載の方法。
【請求項１６】
前記環境光強度周期サイクルを、前記蛍光露光時間に対応する前記期間に延ばすことをさらに含む請求項１４に記載の方法。
【請求項１７】
オブジェクトをイメージングするためのキットであって、請求項１から８のいずれか一項に記載の前記システムと蛍光イメージング剤とを備えるキット。
【請求項１８】
請求項１から８のいずれか一項に記載の前記システム、請求項９から１６のいずれか一項に記載の方法、またはオブジェクトをイメージングするための請求項１７に記載のキットと共に用いるための蛍光イメージング剤。
【請求項１９】
オブジェクトをイメージングすることが、血流イメージング中、組織灌流イメージング中、リンパイメージング中、またはそれらの組み合わせのイメージング中にオブジェクトをイメージングすることを含む請求項１８に記載の蛍光イメージング剤。
【請求項２０】
血流イメージング、組織灌流イメージング、および／またはリンパイメージングは、侵襲的手術中、最低侵襲的手術中、または非侵襲的手術中の血流イメージング、組織灌流イメージング、および／またはリンパイメージングを含む請求項１９に記載の蛍光イメージング剤。
【請求項２１】
前記侵襲的手術は、心臓関連手術または再建手術を含む請求項２０に記載の蛍光イメージング剤。
【請求項２２】
前記心臓関連手術は、心臓冠動脈バイパス（ＣＡＢＧ）手術を含む請求項２１に記載の蛍光イメージング剤。
【請求項２３】
前記ＣＡＢＧはオンポンプまたはオフポンプである請求項２２に記載の蛍光イメージング剤。
【請求項２４】
前記非侵襲的手術は、傷治療手術を含む請求項２０に記載の蛍光イメージング剤。
【請求項２５】
前記リンパイメージングは、リンパ節、リンパ節ドレナージ、リンパマッピング、またはそれらの組み合わせの特定を含む請求項１８から２４のいずれか一項に記載の蛍光イメージング剤。
【請求項２６】
前記リンパイメージングは前記女性の生殖システムに関する請求項１８から２５のいずれか一項に記載の蛍光イメージング剤。